(57)【要約】【課題】  外観性に優れ、無段階に伸縮調整でき、ガタがなく、小外径で最収縮長さが短いコンパクトな棒状具を提供すること。【解決手段】  外側軸１１０の中空部１１１に内側軸１２０を挿入して軸方向に伸縮自在に連結した棒状具１００であって、外側軸１１０の内面と内側軸１２０の外面の間にばね材１３０を挟み込み、ばね材１３０を外側軸１１０に固定するとともに、内側軸１２０の外面に弾発的に摺接させるもの。【選択図】  図５
2010029557.tif 000002
【特許請求の範囲】
【請求項１】
外側軸の中空部に内側軸を挿入して軸方向に伸縮自在に連結した棒状具であって、
外側軸の内面と内側軸の外面の間にばね材を挟み込み、
ばね材を外側軸に固定するとともに、内側軸の外面に弾発的に摺接させる棒状具。
【請求項２】
前記外側軸に対する内側軸の伸切り端で、外側軸に固定されているばね材が内側軸の軸方向で内側軸に設けたストッパ部に衝合する請求項１に記載の棒状具。
【請求項３】
前記ばね材が、長尺の本体部の長手方向一端に折返しＲ部を介して該本体部の一面側に折返し成形された短尺の折返し部を設けるとともに、本体部の長手方向他端側に該本体部の一部を該本体部の一面側に凸をなすように曲げ成形された曲げＲ部からなる支点部を設け、該本体部の折返しＲ部と支点部の曲げＲ部の間の中間部に該本体部の一部を該本体部の他面側に凸をなすように曲げ成形された曲げＲ部からなる作用点部を設け、
ばね材の本体部の長手方向を外側軸と内側軸の軸方向に沿わせ、折返し部を外側軸に固定し、支点部を外側軸の内面に押し当て、作用点部を内側軸の外面に弾発的に摺接させる請求項１又は２に記載の棒状具。
【請求項４】
前記外側軸に対する内側軸の伸切り端で、外側軸に固定されているばね材の作用点部の曲げＲ部が内側軸の外面の伸切り係止部に係脱可能に係止する請求項３に記載の棒状具。
【請求項５】
前記ばね材の折返し部に設けた爪部が外側軸に設けた固定係止部に固定的に係止する請求項３又は４に記載の棒状具。
【請求項６】
前記外側軸と内側軸の横断面の中心を挟む一方側にばね材を設け、他方側に、外側軸の内面の軸方向に延在させたＶ字リブと、内側軸の軸方向に延在させたＶ字溝とがスライド可能に係合するスライドガイド部を設けた請求項１〜５のいずれかに記載の棒状具。
【発明の詳細な説明】
【技術分野】
【０００１】
本発明は清掃具用柄等に用いて好適な棒状具に関する。
【背景技術】
【０００２】
清掃具用柄等に用いられる棒状具として、特許文献１に記載の如く、外側軸の中空部に内側軸を挿入して軸方向に伸縮自在に連結したものがある。この棒状具は、外側軸の外面に板ばねを添設するようにその基端部を固定するとともに、内側軸の外面の軸方向に長尺の係止レールを固定し、係止レールの長手方向に一定間隔で多数の係止孔を設ける。そして、板ばねの先端部に板ばねを外側軸の外面から持ち上げる操作部を設けるとともに、板ばねの中間部に係止片を切欠き曲げ成形し、この係止片を板ばねの弾発習性により外側軸に開穿した窓部から内側軸の外面の上記係止レールに設けてあるいずれかの係止孔に係入させ、外側軸と内側軸を任意の伸縮長さに固定可能にする。板ばねの操作部を用いて板ばねを外側軸の外面から持ち上げれば、板ばねの係止片が内側軸の外面の係止レールの係止孔から引き出され、外側軸と内側軸を伸縮操作できるようになり、その伸縮長さを調整できる。
【特許文献１】USP3244437
【発明の開示】
【発明が解決しようとする課題】
【０００３】
特許文献１に記載の棒状具には以下の問題点がある。
(1)棒状具の外観を構成する外側軸の外面に板ばねが固定されるから、棒状具の外観デザイン性を損なうし、使用者がその板ばねに引っかかる等の支障も生じ易い。
【０００４】
(2)外側軸と内側軸は、板ばねの係止片が係止レールのいずれかの係止孔に係入する位置でしか伸縮長さを固定できない。伸縮長さの調整を無段階にできない。
【０００５】
(3)板ばねの弾発力は、その係止片を外側軸に開穿した窓部から内側軸の外面の係止レールの係止孔に係入させる弾発習性を付与するにすぎない。従って、板ばねは外側軸と内側軸の径方向のガタ止め機能を有しない。
【０００６】
(4)外側軸の外面に板ばねが固定されて外部から操作される操作部を備えるから、この外側軸の板ばねが固定されている部分を他の大径外側軸の中空部に納めることはできない。従って、３個以上の筒材を重ねて挿入した棒状具を構成しようとするとき、その最収縮長さは各外側軸に固定される板ばね分長くなり、コンパクトにできない。
【０００７】
本発明の課題は、外観性に優れ、無段階に伸縮調整でき、ガタがなく、小外径で最収縮長さが短いコンパクトな棒状具を提供することにある。
【課題を解決するための手段】
【０００８】
請求項１の発明は、外側軸の中空部に内側軸を挿入して軸方向に伸縮自在に連結した棒状具であって、外側軸の内面と内側軸の外面の間にばね材を挟み込み、ばね材を外側軸に固定するとともに、内側軸の外面に弾発的に摺接させるようにしたものである。
【０００９】
請求項２の発明は、請求項１の発明において更に、前記外側軸に対する内側軸の伸切り端で、外側軸に固定されているばね材が内側軸の軸方向で内側軸に設けたストッパ部に衝合するようにしたものである。
【００１０】
請求項３の発明は、請求項１又は２の発明において更に、前記ばね材が、長尺の本体部の長手方向一端に折返しＲ部を介して該本体部の一面側に折返し成形された短尺の折返し部を設けるとともに、本体部の長手方向他端側に該本体部の一部を該本体部の一面側に凸をなすように曲げ成形された曲げＲ部からなる支点部を設け、該本体部の折返しＲ部と支点部の曲げＲ部の間の中間部に該本体部の一部を該本体部の他面側に凸をなすように曲げ成形された曲げＲ部からなる作用点部を設け、ばね材の本体部の長手方向を外側軸と内側軸の軸方向に沿わせ、折返し部を外側軸に固定し、支点部を外側軸の内面に押し当て、作用点部を内側軸の外面に弾発的に摺接させるようにしたものである。
【００１１】
請求項４の発明は、請求項３の発明において更に、前記外側軸に対する内側軸の伸切り端で、外側軸に固定されているばね材の作用点部の曲げＲ部が内側軸の外面の伸切り係止部に係脱可能に係止するようにしたものである。
【００１２】
請求項５の発明は、請求項３又は４の発明において更に、前記ばね材の折返し部に設けた爪部が外側軸に設けた固定係止部に固定的に係止するようにしたものである。
【００１３】
請求項６発明は、請求項１〜５のいずれかの発明において更に、前記外側軸と内側軸の横断面の中心を挟む一方側にばね材を設け、他方側に、外側軸の内面の軸方向に延在させたＶ字リブと、内側軸の軸方向に延在させたＶ字溝とがスライド可能に係合するスライドガイド部を設けたものである。
【発明の効果】
【００１４】
（請求項１）
(a)外側軸と内側軸の間にばね材が納められ、外側軸の外面にばね材が設けられないから、棒状具の外観デザイン性に優れ、使用者がそのばね材に引っかかる等の支障も生じない。
【００１５】
(b)ばね材は内側軸の外面に弾発的に摺接し、その弾発力により外側軸と内側軸を任意の伸縮長さに固定できる。伸縮長さを無段階に調整できる。
【００１６】
(c)ばね材は外側軸の内面に固定されて内側軸の外面に弾発的に摺接し、その弾発力により外側軸と内側軸を軸方向（伸縮方向）だけでなく、径方向にも固定し、外側軸と内側軸を軸方向と径方向でガタ止めする。
【００１７】
(d)外側軸と内側軸の間にばね材が納められるから、この外側軸のばね材が納められている部分を他の大径外側軸の中空部に重ねて納めることができる。従って、３個以上の筒材を重ねて挿入する棒状具を構成しようとするとき、その最収縮長さは各外側軸に固定されるばね材の長さに関係なく、コンパクトにできる。
【００１８】
（請求項２）
(e)外側軸に対する内側軸の伸切り端で、外側軸に固定されているばね材が内側軸の軸方向で内側軸に設けたストッパ部に衝合する。外側軸に対し内側軸を引き出す伸び操作時に、内側軸が外側軸から外れるおそれなく最伸長長さを得ることができる。
【００１９】
尚、外側軸に対し内側軸を押し込む縮み操作時には、内側軸の先端の外面膨出状厚肉部の外面膨出部が外側軸の開口の端面に当たり、押込み端が規制される。
【００２０】
（請求項３）
(f)外側軸に固定されたばね材の折返し部と支点部がなす長いばね機能部の中間部に、内側軸の外面に弾発的に摺接する作用点部を設けた。従って、内側軸の外面に圧接する作用点部の弾発的な変位によるばね機能部のばね歪量が小さく、ばね材は塑性変形することなく、ばね材の耐久信頼性に優れる。
【００２１】
(g)外側軸に固定されたばね材の両端部に、折返し部の折返しＲ部と、支点部の曲げＲ部が設けられる。両Ｒ部は硬く、棒状具に付与される曲げ力等により外側軸と内側軸の間に付与される径方向力によっても変形しない。従って、外側軸と内側軸が上述の両Ｒ部により、両者の間隙を一定に維持し、外側軸と内側軸の伸縮信頼性に優れる。
【００２２】
（請求項４）
(h)外側軸に対する内側軸の伸切り端で、外側軸に固定されているばね材の作用点部の曲げＲ部が内側軸の外面の伸切り係止部に係脱可能に係止する。外側軸に対し内側軸を引き出す伸び操作時に、伸切り端での節度感を得ることができる。
【００２３】
（請求項５）
(i)ばね材の折返し部に設けた爪部が外側軸に設けた固定係止部に固定的に係止する。ばね材を外側軸に簡易に固定できる。また、棒状具の組立時に、ばね材を内側軸の外面に添設し、このばね材と内側軸をともに外側軸の開口からその中空部に挿入していき、ばね材の折返し部の爪が外側軸の中空部から固定係止部に到達すると、該折返し部の弾発力により該爪部が中空部から固定係止部に弾発的に落ち込んで組立完了になる。
【００２４】
（請求項６）
(j)外側軸と内側軸の横断面の中心を挟む一方側にばね材を設け、他方側に、外側軸の内面の軸方向に延在させたＶ字リブと、内側軸の軸方向に延在させたＶ字溝とがスライド可能に係合するスライドガイド部を設けた。外側軸と内側軸はスライドガイド部により軸方向にガイドされ、安定的に伸縮する。スライドガイド部のＶ字リブとＶ字溝に適度な粘度の潤滑剤を塗布することにより、スライドガイド部の磨耗を減らし、外側軸と内側軸の伸縮に対する適度な抵抗を付与でき、伸縮信頼性を向上できる。
【発明を実施するための最良の形態】
【００２５】
図１は清掃具を示す斜視図、図２は清掃具に清掃シートを取付けた状態を示す斜視図、図３は柄の最伸長状態を示す断面図、図４は柄の最収縮状態を示す断面図、図５は図３のV部を拡大して示す断面図、図６は図３のVI部を拡大して示す断面図、図７は図３のVII部を拡大して示す断面図、図８は図３のVIII−VIII線に沿う断面図、図９は図４のIX部を拡大して示す断面図、図１０は図４のX部を拡大して示す断面図、図１１は柄の組立過程を示す斜視図、図１２はばね材を示し、（Ａ）は斜視図、（Ｂ）は側面図である。
【実施例】
【００２６】
清掃具１は、図１、図２に示す如く、柄１０に本体２０を連結して構成される。
柄１０は、複数、本実施例では４個の軸１１〜１４を伸縮可能に連結したものである。軸１１の中空部に軸１２を、軸１２の中空部に軸１３を、軸１３の中空部に軸１４を順に挿入して軸方向に伸縮自在に連結したものである。これにより、本体２０の清掃ヘッド２４を使用者の手元〜遠隔に位置付けて使用できる。図１は最伸長状態、図２は最収縮状態を示す。
【００２７】
本体２０は、柄１０の最先端部（軸１４）に枢支部２１を介してアーム２２を枢支し、アーム２２の先端部に清掃ヘッド２４を連結し、清掃ヘッド２４の取付プレート２５に清掃シート２６（図２）を着脱自在に挿着可能にしたものである。尚、柄１０と本体２０は、軸１４とアーム２２の間の枢支部２１まわりに角度調節部５０を設け、角度調節部５０の操作部５１に加える操作により、柄１０と本体２０の適度な角度を簡易に設定替えできる。
【００２８】
以下、清掃具１の柄１０たる棒状具１００について説明する。棒状具１００において、第１軸１１と第２軸１２は互いに連結される本発明の外側軸１１０と内側軸１２０を構成し、第２軸１２と第３軸１３は互いに連結される本発明の外側軸１１０と内側軸１２０を構成し、第３軸１３と第４軸１４は互いに連結される本発明の外側軸１１０と内側軸１２０を構成する。以下、本発明の互いに１組をなす外側軸を１１０、内側軸を１２０として説明する（図３〜図１１）。
【００２９】
棒状具１１０は、図３、図４に示す如く、外側軸１１０の中空部１１１に内側軸１２０を挿入して軸方向に伸縮自在に連結したものである。棒状具１００は、外側軸１１０の先端に中空部１１１の開口１１１Ａを設け、外側軸１１０の基端に中空部１１１の底１１１Ｂを設ける。棒状具１００は、内側軸１２０を外側軸１１０の先端の開口１１１Ａからその中空部１１１に押込み挿入可能にし、内側軸１２０の先端の外面膨出状厚肉部１２１の外面膨出部１２１Ａを外側軸１１０の開口１１１Ａの端面に当てて押込み端を規制される。
【００３０】
棒状具１００は、図８に示す如く、外側軸１１０の内面の軸方向に延在させたＶ字リブ１１２と、内側軸１２０の外面の軸方向に延在させたＶ字溝１２２を互いにスライド可能に係合させた、スライドガイド部１０１を有する。
【００３１】
棒状具１００は、本実施例では、清掃具１の清掃ヘッド２４の底面を鉛直上向きに配置した図３、図４の状態で、外側軸１１０と内側軸１２０の横断面の中心を挟む下方側に上述のスライドガイド部１０１を設けている。棒状具１００は、スライドガイド部１０１のＶ字リブ１１２とＶ字溝１２２に適度な粘度の潤滑剤を塗布して使用することが好ましい。
【００３２】
棒状具１００は、図５〜図１０に示す如く、外側軸１１０の内面と内側軸１２０の外面の間にばね材１３０を挟み込み、ばね材１３０を外側軸１１０に固定するとともに、内側軸１２０の外面に弾発的に摺接させる。棒状具１００は、本実施例では、外側軸１１０と内側軸１２０の横断面の中心を挟んで、スライドガイド部１０１の他方側（図３、図４の上方側）にばね材１３０を設けている。
【００３３】
ばね材１３０は、図１２に示す如く、長尺の本体部１３１の基端に折返しＲ部（Ｒ１）を介して本体部１３１の一面側（図１２の上面側）に折返し成形された短尺の折返し部１３２を設ける。また、ばね材１３０は、本体部１３１の先端側（本体部１３１の先端部より一定長さだけ基端寄りに入った部分）に、本体部１３１の一部を本体部１３１の一面側（図１２の上方側）に凸をなすように曲げ成形された曲げＲ部（Ｒ２）からなる支点部１３３を設ける。また、ばね材１３０は、本体部１３１の折返しＲ部（Ｒ１）と支点部１３３の曲げＲ部（Ｒ２）の間の中間部に、本体部１３１の一部を本体部１３１の他面側（図１２の下面側）に凸をなすように曲げ成形された曲げＲ部（Ｒ３）からなる作用点部１３４を設ける。尚、本実施例では、ばね材１３０を板ばねからなるものにしている。
【００３４】
棒状具１００は、図５〜図１１に示す如く、ばね材１３０の本体部１３１の長手方向を外側軸１１０と内側軸１２０の軸方向に沿わせ、折返し部１３２を外側軸１１０に固定し、支点部１３３を外側軸１１０の内面に押し当て、作用点部１３４を内側軸１２０の外面に弾発的に摺接させる。棒状具１００にあっては、ばね材１３０が内側軸１２０に当接する作用点部１３４の輪郭形状に合致するように、内側軸１２０のばね材１３０に当接する側、即ちＶ字溝１２２とは反対側を平面溝とした。本実施例では、ばね材１３０が板ばねからなるものであり、作用点部１３４は内側軸１２０の外面の軸方向の先端側〜基端側に設けた平面スライド部１２３に弾発的に摺接する（図８）。
【００３５】
棒状具１００は、ばね材１３０の折返し部１３２の先端に爪部１３２Ａを設けてあり（図１２）、この爪部１３２Ａが外側軸１１０の中空部１１１に開穿した孔状（溝状でも可）固定係止部１１３に固定的に係止することにて、ばね材１３０を外側軸１１０に固定する。
【００３６】
棒状具１００は、外側軸１１０に対する内側軸１２０の伸切り端で、図５〜図７に示す如く、外側軸１１０に固定されているばね材１３０、本実施例ではばね材１３０の折返し部１３２が内側軸１２０の軸方向で内側軸１２０に設けたストッパ部１２４に衝合する。ストッパ部１２４は、内側軸１２０の平面スライド部１２３の基端側エンドに立上がる立上り壁により構成されている。
【００３７】
棒状具１００は、外側軸１１０に対する内側軸１２０の伸切り端で、外側軸１１０に固定されているばね材１３０の作用点部１３４の曲げＲ部（Ｒ３）が、内側軸１２０の外面の伸切り係止部１２５に係止する。伸切り係止部１２５は、外側軸１１０に固定されているばね材１３０の折返し部１３２が内側軸１２０のストッパ部１２４に衝合したとき、ばね材１３０の作用点部１３４に対応する内側軸１２０の平面スライド部１２３内に凹状成形される。ばね材１３０の作用点部１３４は、内側軸１２０の伸切り係止部１２５に弾発的に落ち込み係止する。
【００３８】
棒状具１００は、外側軸１１０に対する内側軸１２０の押込み端で、内側軸１２０の先端の外面膨出状厚肉部１２１の外面膨出部１２１Ａが外側軸１１０の開口１１１Ａの端面に衝合する。
【００３９】
棒状具１００の組立時には、図１１に示す如く、ばね材１３０の折返し部１３２、作用点部１３４のそれぞれを内側軸１２０のストッパ部１２４、伸切り係止部１２５のそれぞれに添設保持する状態で、このばね材１３０と内側軸１２０を外側軸１１０の開口１１１Ａからその中空部１１１に挿入していく。ばね材１３０の折返し部１３２の爪部１３２Ａが外側軸１１０の固定係止部１１３の孔に到達したとき、折返し部１３２の弾発力により爪部１３２Ａが中空部１１１の内面から固定係止部１１３に弾発的に落ち込んで固定的に係止され、組立完了になる。
【００４０】
棒状具１００は、外側軸１１０と内側軸１２０を互いに挿入して組立てられるものであり、３個以上の軸１１〜軸１４を組立てるとき、それら軸１１〜軸１４をどんな順からでも（最小径軸からでも、最大径軸からでも、途中からでも）組立てできる。
【００４１】
また、外側軸１１０の先端の開口１１１Ａから内側軸１２０を挿入して組立てるから、内側軸１２０の先端に一体的に清掃ヘッド１２４等を設ける場合でも、組立てできる。
【００４２】
また、内側軸１２０の先端を外面膨出状厚肉部１２１とすることができ、棒状具１００に付与される曲げ力等に対する外側軸１１０と内側軸１２０の曲げ強度を確保できる。
【００４３】
本実施例によれば以下の作用効果を奏する。
(a)外側軸１１０と内側軸１２０の間にばね材１３０が納められ、外側軸１１０の外面にばね材１３０が設けられないから、棒状具１００の外観デザイン性に優れ、使用者がそのばね材１３０に引っかかる等の支障も生じない。
【００４４】
(b)ばね材１３０は内側軸１２０の外面に弾発的に摺接し、その弾発力により外側軸１１０と内側軸１２０を任意の伸縮長さに固定できる。伸縮長さを無段階に調整できる。
【００４５】
(c)ばね材１３０は外側軸１１０の内面に固定されて内側軸１２０の外面に弾発的に摺接し、その弾発力により外側軸１１０と内側軸１２０を軸方向（伸縮方向）だけでなく、径方向にも固定し、外側軸１１０と内側軸１２０を軸方向と径方向でガタ止めする。
【００４６】
(d)外側軸１１０と内側軸１２０の間にばね材１３０が納められるから、この外側軸１１０（例えば第２軸１２）のばね材１３０が納められている部分を他の大径外側軸１１０（例えば第１軸１１）の中空部１１１に重ねて納めることができる。従って、３個以上の筒材１１〜１４を重ねて挿入する棒状具１００を構成しようとするとき、その最収縮長さは各外側軸１１０に固定されるばね材１３０の長さに関係なく、コンパクトにできる。
【００４７】
(e)外側軸１１０に対する内側軸１２０の伸切り端で、外側軸１１０に固定されているばね材１３０が内側軸１２０の軸方向で内側軸１２０に設けたストッパ部１２４に衝合する。外側軸１１０に対し内側軸１２０を引き出す伸び操作時に、内側軸１２０が外側軸１１０から外れるおそれなく最伸長長さを得ることができる。
【００４８】
尚、外側軸１１０に対し内側軸１２０を押し込む縮み操作時には、内側軸１２０の先端の外面膨出状厚肉部１２１の外面膨出部１２１Ａが外側軸１１０の開口１１１Ａの端面に当たり、押込み端が規制される。
【００４９】
(f)外側軸１１０に固定されたばね材１３０の折返し部１３２と支点部１３３がなす長いばね機能部の中間部に、内側軸１２０の外面に弾発的に摺接する作用点部１３４を設けた。従って、内側軸１２０の外面に圧接する作用点部１３４の弾発的な変位によるばね機能部のばね歪量が小さく、ばね材１３０は塑性変形することなく、ばね材１３０の耐久信頼性に優れる。
【００５０】
(g)外側軸１１０に固定されたばね材１３０の両端部に、折返し部１３２の折返しＲ部（Ｒ１）と、支点部１３３の曲げＲ部（Ｒ２）が設けられる。両Ｒ部（Ｒ１、Ｒ２）は硬く、棒状具１００に付与される曲げ力等により外側軸１１０と内側軸１２０の間に付与される径方向力によっても変形しない。従って、外側軸１１０と内側軸１２０が上述の両Ｒ部（Ｒ１、Ｒ２）により、両者の間隙を一定に維持し、外側軸１１０と内側軸１２０の伸縮信頼性に優れる。
【００５１】
(h)外側軸１１０に対する内側軸１２０の伸切り端で、外側軸１１０に固定されているばね材１３０の作用点部１３４の曲げＲ部（Ｒ３）が内側軸１２０の外面の伸切り係止部１２５に係脱可能に係止する。外側軸１１０に対し内側軸１２０を引き出す伸び操作時に、伸切り端での節度感を得ることができる。
【００５２】
(i)ばね材１３０の折返し部１３２に設けた爪部１３２Ａが外側軸１１０に設けた固定係止部１１３に固定的に係止する。ばね材１３０を外側軸１１０に簡易に固定できる。また、棒状具１００の組立時に、ばね材１３０を内側軸１２０の外面に添設し、このばね材１３０と内側軸１２０をともに外側軸１１０の開口１１１Ａからその中空部１１１に挿入していき、ばね材１３０の折返し部１３２の爪が外側軸１１０の中空部１１１から固定係止部１１３に到達すると、該折返し部１３２の弾発力により該爪部１３２Ａが中空部１１１から固定係止部１１３に弾発的に落ち込んで組立完了になる。
【００５３】
(j)外側軸１１０と内側軸１２０の横断面の中心を挟む一方側にばね材１３０を設け、他方側に、外側軸１１０の内面の軸方向に延在させたＶ字リブ１１２と、内側軸１２０の軸方向に延在させたＶ字溝１２２とがスライド可能に係合するスライドガイド部１０１を設けた。外側軸１１０と内側軸１２０はスライドガイド部１０１により軸方向にガイドされ、安定的に伸縮する。スライドガイド部１０１のＶ字リブ１１２とＶ字溝１２２に適度な粘度の潤滑剤を塗布することにより、スライドガイド部１０１の磨耗を減らし、外側軸１１０と内側軸１２０の伸縮に対する適度な抵抗を付与でき、伸縮信頼性を向上できる。
【００５４】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明のばね材は板ばねからなるものに限定されない。
【図面の簡単な説明】
【００５５】
【図１】図１は清掃具を示す斜視図である。
【図２】図２は清掃具に清掃シートを取付けた状態を示す斜視図である。
【図３】図３は柄の最伸長状態を示す断面図である。
【図４】図４は柄の最収縮状態を示す断面図である。
【図５】図５は図３のV部を拡大して示す断面図である。
【図６】図６は図３のVI部を拡大して示す断面図である。
【図７】図７は図３のVII部を拡大して示す断面図である。
【図８】図８は図３のVIII−VIII線に沿う断面図である。
【図９】図９は図４のIX部を拡大して示す断面図である。
【図１０】図１０は図４のX部を拡大して示す断面図である。
【図１１】図１１は柄の組立過程を示す斜視図である。
【図１２】図１２はばね材を示し、（Ａ）は斜視図、（Ｂ）は側面図である。
【符号の説明】
【００５６】
１００  棒状具
１０１  スライドガイド部
１１０  外側軸
１１１  中空部
１１２  Ｖ字リブ
１１３  固定係止部
１２０  内側軸
１２２  Ｖ字溝
１２４  ストッパ部
１２５  伸切り係止部
１３０  ばね材
１３１  本体部
１３２  折返し部
１３２Ａ  爪部
１３３  支点部
１３４  作用点部
【図１】
2010029557.tif 000003
【図２】
2010029557.tif 000004
【図３】
2010029557.tif 000005
【図４】
2010029557.tif 000006
【図５】
2010029557.tif 000007
【図６】
2010029557.tif 000008
【図７】
2010029557.tif 000009
【図８】
2010029557.tif 000010
【図９】
2010029557.tif 000011
【図１０】
2010029557.tif 000012
【図１１】
2010029557.tif 000013
【図１２】
2010029557.tif 000014